(57)【要約】【課題】携帯端末の持ち方に依存せず、所望の機能を起動させることができる携帯端末およびその機能実行方法を実現する。【解決手段】スマートフォン（１）は、加速度センサ（１２）と、角速度センサ（１３）と、角速度センサ（１３）により検出された方向への動きに対応付けられた機能を実行する機能実行制御部（１０５）と、を備え、角速度センサ（１３）は、加速度が検出されたとき検出動作を開始する。【選択図】図１
2015046797.tif 000002
【特許請求の範囲】
【請求項１】
携帯端末自体の加速度を検出する加速度センサと、
携帯端末自体の角速度を検出する角速度センサと、
上記角速度センサにより検出された方向への動きに対応付けられた機能を実行する機能実行制御手段と、
を備え、
上記角速度センサは、上記加速度センサにより携帯端末自体の加速度が検出されたとき検出動作を開始することを特徴とする携帯端末。
【請求項２】
上記加速度センサは、
上記携帯端末の電源ＯＮの状態で上記携帯端末の画像を表示する表示部を休止した休止状態において、上記携帯端末自体の加速度を検出することを特徴する請求項１に記載の携帯端末。
【請求項３】
上記角速度センサへ電力の供給を制御する電力供給制御手段を備え、
上記電力供給制御手段は、
上記加速度センサにより上記携帯端末自体の加速度が検出されたとき、上記角速度センサへ電力を供給することを特徴とする請求項１または２に記載の携帯端末。
【請求項４】
上記携帯端末をユーザが操作しているか否かを判定する判定部をさらに備え、
上記機能実行制御手段は、
上記判定部が携帯端末をユーザが操作していると判定した場合、上記角速度センサにより検出された方向への動きに対応付けられた機能を実行することを特徴とする請求項１から３のいずれか１項に記載の携帯端末。
【請求項５】
コンピュータに、
携帯端末自体の加速度を検出する加速度検出ステップと、
上記加速度検出ステップによって携帯端末自体の加速度が検出されたとき、上記携帯端末自体の角速度を検出する方向検出ステップと、
上記方向検出ステップによって検出された方向への動きに対応付けられた機能を実行する機能実行ステップと、
を実行させる機能実行プログラム。
【発明の詳細な説明】
【技術分野】
【０００１】
本発明は状態変化を検出するセンサを有する携帯端末に関する。
【背景技術】
【０００２】
近年、携帯端末はさまざまなセンサを備えるようになり、その結果、携帯端末の多機能化が進み、携帯端末の利便性が向上した。
【０００３】
特許文献１には、携帯端末の側面に１つ以上の接触を検出するセンサを設け、上記センサの内、接触が検出されたセンサ位置に応じて、携帯端末の状態を検出し、検出された携帯端末の状態に応じ、表示方向や実行するアプリケーションを切り替える携帯端末が開示されている。特許文献１に開示されている携帯端末は、上記構成により携帯端末が人の手に保持されている状態を検出し、それに応じて表示方向や実行するアプリケーションを自動的に切り替える。
【先行技術文献】
【特許文献】
【０００４】
【特許文献１】特開平１０−３０１６９５号公報（１９９８年１１月１３日公開）
【発明の概要】
【発明が解決しようとする課題】
【０００５】
しかしながら、上述のような従来技術は、携帯端末を保持する際に、指が確実に上記センサに接触するように持つことが必要となる。したがって、特許文献１に開示されている携帯端末は、操作時においてユーザが上記センサに接触しない持ち方をした場合、ユーザが上記携帯端末を保持していることを検出できず、所望の機能を起動できない、という問題があった。
【０００６】
本発明は、上記の問題点に鑑みてなされたものであり、その目的は、携帯端末の持ち方に依存せず、所望の機能を起動させることができる携帯端末およびその制御方法を実現することである。
【課題を解決するための手段】
【０００７】
上記の課題を解決するために、本発明の一態様に係る携帯端末は、携帯端末自体の加速度を検出する加速度センサと、携帯端末自体の角速度を検出する角速度センサと、上記角速度センサにより検出された方向への動きに対応付けられた機能を実行する機能実行制御手段と、を備え、上記角速度センサは、上記加速度センサにより携帯端末自体の加速度が検出されたとき検出動作を開始することを特徴としている。
【０００８】
また、本発明の一態様に係る携帯端末の機能実行プログラムは、携帯端末自体の加速度を検出する加速度検出ステップと、上記加速度検出ステップによって携帯端末自体の加速度が検出されたとき、上記携帯端末自体の角速度を検出する方向検出ステップと、上記方向検出ステップによって検出された方向への動きに対応付けられた機能を実行する機能実行ステップと、を実行させることを特徴としている。
【発明の効果】
【０００９】
本発明の一態様によれば、端末の持ち方に依存せず、所望の機能を起動させることができる携帯端末およびその制御方法を実現することができる効果を奏する。
【図面の簡単な説明】
【００１０】
【図１】本発明の実施形態１に係るスマートフォンの要部構成の例を示すブロック図である。
【図２】図１示すスマートフォンのＸ方向Ｙ方向への動きの例を示す図である。
【図３】図１示すスマートフォンが行う処理の流れを示すフローチャートである。
【図４】図１示すスマートフォンが行う処理の流れを示すフローチャートである。
【図５】図１示す加速度判定部および動作方向判定部から出力させる信号の種類を示す図である。
【発明を実施するための形態】
【００１１】
〔実施形態１〕
本発明の実施形態１に係るスマートフォン１（携帯端末）について、図１〜図５に基づいて説明すれば、以下のとおりである。ここでは、本発明のスマートフォン１に適応した例について説明するが、以下に説明するスマートフォン１は単なる一態様に過ぎない。本発明は、表示画面を有する携帯端末機器に適用可能であり、特に、スマートフォン、ＰＨＳ（Personal Handy phone System）、携帯電話、携帯型のパーソナルコンピュータ、ハンディターミナルなどのような、携帯型の電子機器に好適に適用可能である。
【００１２】
（スマートフォン１の構成）
まず、スマートフォン１の概要構成について、図１を用いて説明する。図１は、実施形態１に係る携帯端末の要部構成の例を示すブロック図である。スマートフォン１は、図１に示すように、制御部１０、状態検出部１１、加速度センサ１２、ジャイロセンサ１３、記憶部１４、通信部１５、表示部１６、および電源１７を備えている。なお、スマートフォン１はさらに、マイク、スピーカなど、スマートフォン１として機能するために必要な装置を備えているが、これらは本発明の特徴点と直接関係がないため、ここでは図示しない。
【００１３】
制御部１０は、スマートフォン１が備える各機能を統括して制御する。制御部１０は、第１状態判定部１０１、加速度判定部１０２、動作方向判定部１０３、第２状態判定部１０４、機能実行制御部１０５、着信検出部１０６、および電源制御部１０７を含んで構成される。各構成について詳しくは後述する。
【００１４】
記憶部１４は、スマートフォン１の制御部１０が実行する（１）制御プログラム、（２）ＯＳプログラム、（３）制御部１０が、スマートフォン１が有する各種機能を実行するためのアプリケーションプログラム、および、（４）該アプリケーションプログラムを実行するときに読み出す各種データを非一時的に記憶するものである。記憶部１４は、さらに、制御部１０の第１状態判定部１０１および第２状態判定部１０４が処理を実行するときに読み出される状態判定基準１４１、および機能実行制御部１０５が機能を実行するときに読み出される機能実行条件１４２を記憶している。状態判定基準１４１は、後述する状態検出信号を用いて、スマートフォン１の周囲の状態、またはスマートフォン１自体の状態を判定するための各種基準である。また、機能実行条件１４２は、スマートフォン１自体（携帯端末自体）のＸ方向Ｙ方向への動き、およびスマートフォン１の状態に対応付けられた機能を記憶する。
【００１５】
状態検出部１１は、スマートフォン１の周囲の状態、またはスマートフォン１自体の状態を検出するセンサ（状態センサ）を用いてスマートフォン１の状態を検出する。状態検出部１１で用いる状態センサは限定されないが、例えば、表示部１６の近接物を検出する近接センサ１１１、スマートフォン１自体の把持を検出するグリップセンサ１１２、などを用いることが好ましい。さらに、スマートフォン１自体への圧力を検出する圧力センサ、または光を検出する照度センサなどを用いてもよい。一般的な携帯電話やスマートフォン１は、上記センサを標準装備していることが多い。したがって、状態センサに上記センサを利用することにより、状態センサとして特別な装置をスマートフォン１に別途設けることなくスマートフォン１の状態を検出することができる。状態検出部１１は、状態センサによりスマートフォン１の状態を検出すると、上記検出を示す状態検出信号を第１状態判定部１０１または第２状態判定部１０４に出力する。本実施形態では、状態センサとして近接センサ１１１を用いている場合について説明する。なお、本実施形態では、近接センサは表示部１６への近接物の有無を検出しているが、上記に限らない。スマートフォン１自体への近接物の有無を検出する他の手段であってもよい。
【００１６】
表示部１６は、機能実行制御部１０５により画像などを表示するディスプレイであり、例えば、ＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）が好ましい。通信部１５は、スマートフォン１への電話・メールなどに係る信号を受信するとともに、電話・メールなどに係る信号を着信検出部１０６に送信する。電源１７は、電源制御部１０７からの指示に基づいて、状態検出部１１およびジャイロセンサ１３などに電力を供給する。
【００１７】
加速度センサ１２は、スマートフォン１の向き、およびスマートフォン１自体の加速度を検出するセンサである。ここで、スマートフォン１自体の加速度とは、例えばスマートフォン１自体が移動することで示される単位時間当たりの速度変化のことである。上記加速度を検出することで、スマートフォン１自体が移動しているかどうかを判定できる。さらに、加速度センサ１２は、第１状態判定部１０１にスマートフォン１の向きを示す信号を出力する。また、加速度センサ１２は、スマートフォン１自体の加速度を検出すると、当該検出を示す加速度検出信号を加速度判定部１０２に出力する。
【００１８】
ジャイロセンサ１３（角速度センサ）は、スマートフォン１自体のＸ方向Ｙ方向への動きを検出する。ジャイロセンサ１３は、例えば図２に示すような、スマートフォン１自体のＸ方向またはＹ方向の回転の動きを検出する。図２は、スマートフォン１のＸ方向Ｙ方向への動きの例を示す図である。ジャイロセンサ１３は、例えば、スマートフォン１自体のＸ方向の一方への回転の動きを東の方向への動きとして角速度を検出し、Ｘ方向の他方への回転の動きを西の方向への動きとして角速度を検出し、Ｙ方向の一方への回転の動きを北の方向への動きとして角速度を検出し、Ｙ方向の他方への回転の動きを南の方向への動きとして角速度を検出するものであってもよい。ジャイロセンサ１３はスマートフォン１自体のＸ方向またはＹ方向の回転の動きを検出すると、当該検出を示す動作方向検出信号を動作方向判定部１０３に出力する。ここで、加速度センサ１２およびジャイロセンサ１３としての機能は、６軸センサによって実現することが望ましい。このように６軸センサを用いることにより、加速度センサ１２およびジャイロセンサ１３をスマートフォン１にまとめて用いることができるので、スマートフォン１の小型化に寄与できる。
【００１９】
（制御部１０の構成の概要）
第１状態判定部１０１は、近接センサ１１１からの状態検出信号および記憶部１４に記憶されている状態判定基準１４１に基づき、スマートフォン１の状態を判定する第１状態判定を行ない、スマートフォン１が後述するＳｌｅｅｐ  ｍｏｄｅＡもしくはＳｌｅｅｐ  ｍｏｄｅＢのどちらの状態であるかを示す第１判定信号を加速度判定部１０２に出力する。また、第１状態判定部１０１は、加速度センサ１２からスマートフォン１が下方向を向いていることを示す信号を受信すると、近接センサ１１１への電源供給を開始する指示を示す信号を電源制御部１０７に出力する。ここで、Ｓｌｅｅｐ  ｍｏｄｅＡは、スマートフォン１がスリープ状態となり、かつ着信の有無を判定する状態である。Ｓｌｅｅｐ  ｍｏｄｅＡは例えば、スマートフォン１を鞄などに入れているか、持ち歩いている状態に適応される。また、Ｓｌｅｅｐ  ｍｏｄｅＢは、スマートフォン１が電源ＯＮの状態で表示部１６を休止させる休止状態（スリープ状態）となり、かつ加速度センサ１２によりスマートフォン１自体の加速度がモニタリングされている状態である。Ｓｌｅｅｐ  ｍｏｄｅＢは例えば、スマートフォン１がテーブルなどに載置されている状態に適応される。
【００２０】
電源制御部１０７（電力供給制御手段）は、第１状態判定部１０１からの電源制御に係る信号、後述する加速度判定部１０２からの加速度判定信号（ＡＹ１）および加速度判定信号（ＢＹ１）、動作方向判定部１０３からの動作方向判定信号（ＢＮ２）および動作方向判定信号（ＢＹ２）に基づき、電源１７から近接センサ１１１およびジャイロセンサ１３への電力供給を制御する。
【００２１】
着信検出部１０６は、通信部１５から電話・メールなどに係る信号を受信すると加速度判定部１０２および機能実行制御部１０５へ着信があったこと示す着信信号を出力する。
【００２２】
加速度判定部１０２は、加速度センサ１２からの加速度検出信号および第１状態判定部１０１からの第１判定信号、および着信検出部１０６からの着信信号に基づき、所定時間内にスマートフォン１自体の加速度が検出されるかどうかを判定し、第１状態判定部１０１、動作方向判定部１０３、および電源制御部１０７に加速度判定信号（ＡＮ１）、加速度判定信号（ＡＹ１）、および加速度判定信号（ＢＹ１）を出力する。
【００２３】
ここで、加速度判定信号（ＡＹ１）は、Ｓｌｅｅｐ  ｍｏｄｅＡ状態で、着信があることを示す信号であり、加速度判定信号（ＡＮ１）は、Ｓｌｅｅｐ  ｍｏｄｅＡ状態で、スマートフォン１自体の加速度を検出しなかったことを示す信号であり、加速度判定信号（ＢＹ１）は、Ｓｌｅｅｐ  ｍｏｄｅＢ状態で所定時間内に加速度センサ１２からの加速度検出信号を受信したことを示す信号であり、加速度判定信号（ＢＮ１）は、Ｓｌｅｅｐ  ｍｏｄｅＢ状態で所定時間内に加速度センサ１２からの加速度検出信号を受信しなかったことを示す信号である。詳しくは、図５に示す。図５は、スマートフォン１の加速度判定部および動作方向判定部から出力させる信号の種類を示す図である。
【００２４】
動作方向判定部１０３は、ジャイロセンサ１３からの動作方向検出信号、加速度判定部１０２からの加速度判定信号（ＡＹ１）、および加速度判定信号（ＢＹ１）に基づき、所定時間内にスマートフォン１自体のＸ方向またはＹ方向への回転の動きが検出されるかどうかを判定し、機能実行制御部１０５、電源制御部１０７および第２状態判定部１０４に、動作方向判定信号（ＡＹ２）、動作方向判定信号（ＢＮ２）、および動作方向判定信号（ＢＹ２）を出力する。
【００２５】
ここで、動作方向判定信号（ＡＹ２）は、Ｓｌｅｅｐ  ｍｏｄｅＡ状態で、ジャイロセンサ１３が所定時間内にスマートフォン１自体のＹ方向への回転の動きの検出を示す動作方向検出信号を受信したことを示す信号であり、動作方向判定信号（ＢＹ２）は、Ｓｌｅｅｐ  ｍｏｄｅＢ状態で、ジャイロセンサ１３から所定時間内にスマートフォン１自体のＸ方向またはＹ方向への回転の動きを示す動作方向検出信号を受信したことを示す信号であり、動作方向判定信号（ＢＮ２）は、Ｓｌｅｅｐ  ｍｏｄｅＢ状態で、ジャイロセンサ１３から所定時間内にスマートフォン１自体のＸ方向またはＹ方向への回転の動きを示す動作方向検出信号を受信しなかったことを示す信号である。
【００２６】
第２状態判定部１０４（判定部）は、近接センサ１１１からの状態検出信号および記憶部１４に記憶されている状態判定基準１４１に基づいて、動作方向判定信号（ＢＹ２）が、ユーザの操作によるものであるか否かを判定する。第２状態判定部１０４は、上記判定結果を示す第２判定信号を加速度判定部１０２および機能実行制御部１０５に出力する。
【００２７】
機能実行制御部１０５（機能実行制御手段）は、動作方向判定部１０３からの動作方向判定信号（ＡＹ２）、第２状態判定部１０４からの第２判定信号、着信検出部１０６からの着信信号、および記憶部１４に記憶されている機能実行条件１４２に基づき、ジャイロセンサ１３により検出されたスマートフォン１自体の回転の方向への動きに対応づけられた機能を実行する。
【００２８】
具体的には、動作方向判定部１０３から動作方向判定信号（ＡＹ２）を受信した場合、動作方向判定信号（ＡＹ２）および記憶部１４に記憶されている機能実行条件１４２に基づいて、ジャイロセンサ１３により検出されたスマートフォン１自体の回転の方向への動きに対応付けられた機能を実行する。また、機能実行制御部１０５は、第２状態判定部１０４から第２判定信号を受信した場合、第２状態判定部１０４からの第２判定信号、着信検出部１０６からの着信信号および記憶部１４に記憶されている機能実行条件１４２に基づいて、ジャイロセンサ１３により検出されたスマートフォン１自体の回転の方向への動きおよび着信信号に対応付けられた機能を実行する。また、機能実行制御部１０５は、実行する機能に応じた画像を表示部１６に表示する。
【００２９】
（スマートフォン１の処理（機能実行方法）の詳細）
以下、さらに図３および図４を参照し、本実施形態におけるスマートフォン１の処理についてより詳細に説明する。図３および図４は、スマートフォン１が行う処理の流れを示すフローチャートである。
【００３０】
スマートフォン１は、主電源ＯＮにより、自動検出動作ＯＮ状態とし（Ｓ１）、Ｓｌｅｅｐ遷移条件を設定する（Ｓ２）。ここでは、スマートフォン１が所定のスリープ状態、Ｓｌｅｅｐ  ｍｏｄｅＡまたはＳｌｅｅｐ  ｍｏｄｅＢ、に遷移する動作を開始する。まず、第１状態判定部１０１は、加速度センサ１２からのスマートフォン１の向きを示す信号に基づき、スマートフォン１の表示部１６（液晶面）が下方向を向いているか否かを確認する（Ｓ３）。スマートフォン１の表示部１６が下方向を向いている場合（Ｓ３でＹｅｓ）、第１状態判定部１０１は電源制御部１０７に近接センサ１１１への電源供給を開始する指示を示す信号を出力し、近接センサ１１１はＯＮされる。近接センサ１１１は、第１状態判定部１０１が、スマートフォン１の表示部が下方向を向いていることを検出することで、始めて電源が供給される。これにより、近接センサ１１１の消費電力を抑えることができる。なお、表示部１６の向きは任意に設定することができ、確認する表示部１６の向きは上方向であってもよい。第１状態判定部１０１は、近接センサ１１１により表示部１６の近接物の有無の判断を行う（Ｓ４）。Ｓ４において、所定時間内に表示部１６に近接物がある場合、すなわち、第１状態判定部１０１が、所定時間内に近接センサ１１１から表示部１６への近接物があることを示す状態検出信号を受信した場合（Ｓ４でＹｅｓ）、スマートフォン１はＳｌｅｅｐ  ｍｏｄｅＢへ遷移される（Ｓ５）。さらに、第１状態判定部１０１は、スマートフォン１がＳｌｅｅｐ  ｍｏｄｅＢであることを示す第１判定信号を加速度判定部１０２に出力する。一方、表示部１６が下方向を向いていない場合、または、所定時間内に表示部１６への近接物がない場合（Ｓ３でＮｏまたはＳ４でＮｏ）、スマートフォン１はＳｌｅｅｐ  ｍｏｄｅＡへ遷移される（Ｓ２９:図４）。さらに、第１状態判定部１０１は、スマートフォン１がＳｌｅｅｐ  ｍｏｄｅＡの状態であることを示す第１判定信号を加速度判定部１０２に出力する。なお、スマートフォン１が所定のスリープ状態に遷移すると、近接センサ１１１はＯＦＦされる。
【００３１】
（Ｓｌｅｅｐ  ｍｏｄｅＢにおける処理）
スマートフォン１がＳｌｅｅｐ  ｍｏｄｅＢに遷移すると、加速度判定部１０２は、加速度センサ１２によりスマートフォン１自体の加速度のモニタリング、すなわち上記加速度の検出動作を開始し（Ｓ６）、Ｓ７（加速度検出ステップ）において所定時間内にスマートフォン１自体の加速度の検出があるかどうかを判定する。所定時間内にスマートフォン１自体の加速度の検出がある場合（Ｓ７でＹｅｓ）、加速度判定部１０２は動作方向判定部１０３および電源制御部１０７に加速度判定信号（ＢＹ１）を出力する。電源制御部１０７は、加速度判定部１０２から加速度判定信号（ＢＹ１）を受信すると、ジャイロセンサ１３への電源供給を開始し、ジャイロセンサ１３はＯＮされる（Ｓ８）。また、動作方向判定部１０３は加速度判定部１０２から加速度判定信号（ＢＹ１）を受信すると、ジャイロセンサ１３により、スマートフォン１自体のＸ方向の回転の動きのモニタリングを開始し、Ｓ９（方向検出ステップ）において、所定時間内のスマートフォン１自体のＸ方向の回転の動きの有無を判定する。ここで、動作方向判定部１０３は、スマートフォン１自体のＹ方向の回転の動きのモニタリングもＳ９と同時に開始し、所定時間内のスマートフォン１自体のＹ方向の回転の動きの有無を判定する（Ｓ１９）。Ｓ１９以降の処理については後述する。なお、この所定時間は、ユーザの使用感を考慮して予め設定される時間であり、適宜設定されればよく、限定されるものではない。
【００３２】
ここで、Ｓ７において、加速度センサ１２により所定時間内にスマートフォン１自体の加速度が検出されない場合（Ｓ７でＮｏ）、加速度判定信号（ＢＮ１）が第１状態判定部１０１に出力され、Ｓ６に移行し、加速度判定部１０２はスマートフォン１自体の加速度のモニタリングを継続する。
【００３３】
Ｓ９において、ジャイロセンサ１３により、所定時間内のスマートフォン１自体のＸ方向の回転の動きがあると判定されると、動作方向判定部１０３から動作方向判定信号（ＢＹ２）が第２状態判定部１０４および電源制御部１０７に出力される。電源制御部１０７は、動作方向判定部１０３から動作方向判定信号（ＢＹ２）を受信すると、近接センサ１１１への電源供給を開始し、近接センサ１１１はＯＮされる（Ｓ１０）。
【００３４】
さらに、第２状態判定部１０４は動作方向判定部１０３から動作方向判定信号（ＢＹ２）を受信すると、近接センサ１１１を用いて所定時間内の表示部１６への近接物の有無を判断し（Ｓ１１）、記憶部１４に記憶されている状態判定基準１４１に基づいて、動作方向判定信号（ＢＹ２）がユーザの操作によるものかを判定する。所定時間内に表示部１６への近接物がない場合（Ｓ１１でＹｅｓ）、第２状態判定部１０４は動作方向判定信号（ＢＹ２）がユーザの操作によるものであると判定し、第２判定信号を機能実行制御部１０５に出力し、Ｓ１２に移行する。
【００３５】
Ｓ１２では、機能実行制御部１０５は、第２判定信号を受信すると、スマートフォン１に未読メールがあるかどうかを判定する。スマートフォン１にメールの未読がない場合（Ｓ１２でＮｏ）、機能実行制御部１０５は、Ｓ１３において予め端末に設定されてあった所定の動作、またはユーザが任意で決めたｍｏｄｅＡを実行し（機能実行ステップ）、その後通常動作を行う。スマートフォン１にメールの未読がある場合（Ｓ１２でＹｅｓ）、機能実行制御部１０５は、未読メールを閲覧する動作を起動させ（Ｓ１４）、その後通常動作を行う。このように、ジャイロセンサ１３によりスマートフォン１自体が同じＸ方向への回転の動きが検出された場合であっても、スマートフォン１自体のＸ方向への回転の動きがユーザの操作によるものであると判定した後のスマートフォン１の状態、メールの未読、着信の有無により、異なる機能を実行させることができる。
【００３６】
ここで、Ｓ９において、ジャイロセンサ１３による、スマートフォン１自体のＸ方向への回転の動きのモニタリングにより、ジャイロセンサ１３が所定時間内にスマートフォン１自体のＸ方向への回転の動きを検出しなかった場合（Ｓ９でＮｏ）、動作方向判定部１０３は、加速度判定部１０２および電源制御部１０７にＸ方向への回転の動きを検出しなかったことを示す動作方向判定信号（ＢＮ２）を出力する。電源制御部１０７が動作方向判定部１０３から動作方向判定信号（ＢＮ２）を受信すると、ジャイロセンサ１３はＯＦＦされる（Ｓ１６）。さらに、加速度判定部１０２は動作方向判定部１０３から動作方向判定信号（ＢＮ２）を受信すると、ジャイロセンサ１３のＯＦＦの回数が５回未満かを確認する（Ｓ１７）。ジャイロセンサ１３のＯＦＦの回数が５回未満の場合（Ｓ１７でＹｅｓ）、加速度判定部１０２は、加速度センサ１２によるスマートフォン１自体の加速度のモニタリングを継続する。また、ジャイロセンサ１３のＯＦＦの回数が５回以上の場合（Ｓ１７でＮｏ）、スマートフォン１はＳｌｅｅｐ  ｍｏｄｅＡへ遷移される（Ｓ１８）。
【００３７】
また、Ｓ１１において、所定時間内に表示部１６への近接物がある場合（Ｓ１１でＮｏ）、第２状態判定部１０４は動作方向判定信号（ＢＹ２）がユーザの操作によるものではないと判定し、加速度判定部１０２に上記判定結果を示す第２判定信号を出力する。加速度判定部１０２は、上記第２判定信号を受信すると、電源制御部１０７に近接センサ１１１への電源供給を停止する信号を出力し、近接センサ１１１はＯＦＦされる（Ｓ１５）。さらに、加速度判定部１０２は、電源制御部１０７にジャイロセンサ１３への電源供給を停止する信号を出力し、ジャイロセンサ１３はＯＦＦされる（Ｓ１６）。
【００３８】
次に、上述したＳ１９における、ジャイロセンサ１３によるスマートフォン１自体のＹ方向への回転の動きのモニタリング以降の動作について説明する。図３に示す、Ｓ１９〜Ｓ２１およびＳ２５〜Ｓ２８の動作は、Ｓ９〜Ｓ１１およびＳ１５〜Ｓ１８の動作と対象となるスマートフォン１自体の動きの方向が異なるのみで、同じ動作となるので省略する。Ｓ２１において、第２状態判定部１０４によりスマートフォン１自体のＹ方向への回転の動きがユーザの操作によるものであると判定され、第２状態判定部１０４から第２判定信号が機能実行制御部１０５に出力された場合（Ｓ２１でＹｅｓ）、機能実行制御部１０５は、スマートフォン１への着信の有無を判定する（Ｓ２２）。スマートフォン１への着信がある場合（Ｓ２２でＹｅｓ）、機能実行制御部１０５は、着信に出る動作を実行して通話を開始し（Ｓ２３）、その後通常動作を行う。端末への着信がない場合（Ｓ２２でＮｏ）、機能実行制御部１０５は、予め端末に設定されてあった所定の動作、またはユーザが任意で決めたｍｏｄｅＢを実行し（Ｓ２４）、その後通常動作を行う。なお、ｍｏｄｅＡおよびｍｏｄｅＢは特に限定されない。例えば、スケジュール表、ゲームアプリなどを設定し起動させることができ、ユーザのカスタマイズが可能である。また、上記説明ではＳ１２で「未読mail有無確認」、Ｓ２２で「着信有無確認」を実施する処理を例として挙げているが、これに限られず、また、ユーザが所望の処理が行えるようカスタマイズ可能であるとしてよい。
【００３９】
（Ｓｌｅｅｐ  ｍｏｄｅＡにおける処理）
次に、図４を参照しながら、Ｓｌｅｅｐ  ｍｏｄｅＡに遷移した後の処理について説明する。まず、Ｓ２９において、スマートフォン１がＳｌｅｅｐ  ｍｏｄｅＡに遷移すると、第１状態判定部１０１は、Ｓｌｅｅｐ  ｍｏｄｅＡを示す第１判定信号を加速度判定部１０２に出力する。加速度判定部１０２は、第１状態判定部１０１から上記第１判定信号を受信すると、スマートフォン１への着信の有無を判定する（Ｓ３０）。スマートフォン１への着信がない場合（Ｓ３０でＮｏ）、加速度判定部１０２は、加速度センサ１２によりスマートフォン１自体の加速度のモニタリングを開始し（Ｓ３１）、スマートフォン１自体の加速度が１０秒間感知されないかを判定する（Ｓ３２）。スマートフォン１自体の加速度が１０秒間感知されない場合（Ｓ３２でＹｅｓ）、加速度判定部１０２は、スマートフォン１自体の加速度が１０秒間感知されないことを示す加速度判定信号（ＡＮ１）を、第１状態判定部１０１に出力する。第１状態判定部１０１は、加速度判定部１０２から加速度判定信号（ＡＮ１）を受信すると、加速度センサ１２からのスマートフォン１の向きを示す信号に基づき、スマートフォン１の表示部１６が下方向を向いているかを確認する（Ｓ３３）。スマートフォン１の表示部１６が下方向を向いている場合（Ｓ３３でＹｅｓ）、第１状態判定部１０１は電源制御部１０７に近接センサ１１１への電源供給を開始する指示を示す信号を出力し、近接センサ１１１はＯＮされる（Ｓ３４）。さらに、第１状態判定部１０１は、近接センサ１１１により所定時間内に表示部１６への近接物があるかどうかの判断を行う（Ｓ３５）。Ｓ３５において所定時間内に表示部１６への近接物がある場合（Ｓ３５でＹｅｓ）、スマートフォン１はＳｌｅｅｐ  ｍｏｄｅＢへ遷移され、図３に示すＳ５に移行する。ここで、Ｓ３２およびＳ３３において、スマートフォン１自体の加速度が１０秒間に感知された場合（Ｓ３２でＮｏ）、およびスマートフォン１の表示部１６が下方向を向いていない場合（Ｓ３３でＮｏ）、加速度判定部１０２は、再度スマートフォン１への着信の有無を判定する（Ｓ３０）。また、Ｓ３５において、所定時間内に表示部１６への近接物がない場合（Ｓ３５でＮｏ）、第１状態判定部１０１は、電源制御部１０７に近接センサ１１１への電源供給を停止する指示を出力し、近接センサ１１１はＯＦＦされる（Ｓ３６）。さらに、加速度判定部１０２は、再度スマートフォン１への着信の有無を判定する（Ｓ３０）。
【００４０】
また、Ｓ３０において、スマートフォン１への着信がある場合（Ｓ３０でＹｅｓ）、加速度判定部１０２は、動作方向判定部１０３および電源制御部１０７に加速度判定信号（ＡＹ１）を出力する。電源制御部１０７は、加速度判定部１０２から加速度判定信号（ＡＹ１）を受信すると、ジャイロセンサ１３への電源供給を開始し、ジャイロセンサ１３はＯＮされる。また、動作方向判定部１０３は、加速度判定部１０２から加速度判定信号（ＡＹ１）を受信すると、ジャイロセンサ１３により、スマートフォン１自体のＹ方向への回転の動きのモニタリングを開始し（Ｓ３７）、ジャイロセンサ１３が所定時間内にスマートフォン１自体のＹ方向への回転の動きを検出するかどうかを判定する（Ｓ３８）。ジャイロセンサ１３が所定時間内にスマートフォン１自体のＹ方向への回転の動きを検出した場合（Ｓ３８でＹｅｓ）、動作方向判定部１０３は、機能実行制御部１０５に動作方向判定信号（ＡＹ２）を出力する。機能実行制御部１０５は、動作方向判定部１０３から動作方向判定信号（ＡＹ２）を受信すると、着信に出る動作を実行して通話を開始し（Ｓ３９）、その後通常動作を行う。ここで、Ｓ３８において、ジャイロセンサ１３が所定時間内にスマートフォン１自体のＹ方向への回転の動きを検出しなかった場合（Ｓ３８でＮｏ）、動作方向判定部１０３は、ジャイロセンサ１３によるスマートフォン１自体のＹ方向の動のモニタリングを継続する（Ｓ３７）。このように、Ｓｌｅｅｐ  ｍｏｄｅＡにおいて、スマートフォン１がＳｌｅｅｐ  ｍｏｄｅＢと同じようにスマートフォン１自体のＹ方向への回転の動きを検出された場合であっても、スマートフォン１のスリープ状態により、別の機能を実行させることができる。なお、上記スマートフォン１自体のＹ方向への回転の動き検出は、Ｙ方向に限らない、ユーザが通常通話を開始する際にスマートフォン１を回転させる方向であってもよい。
【００４１】
〔実施形態２〕
次に、本発明の他の実施形態に係るスマートフォン２について以下に説明する。なお、説明の便宜上、前記実施形態にて説明した部材と同じ機能を有する部材については、同じ符号を付記し、その説明を省略する。本実施形態に係るスマートフォン２と実施形態１に係るスマートフォン１とは、状態検出部１１による状態検出に、さらに、グリップセンサ１１２を用いる点で、実施形態１のスマートフォン１と異なる。状態検出部１１にグリップセンサ１１２を用いることで、スマートフォン２がユーザに把持されているかを確認することができる。これにより、動作方向判定信号（ＢＹ２）がユーザの操作によるものであるかをより正確に判定できる効果を奏する。具体的には、Ｓ１１において、所定時間内にスマートフォン２へのユーザの把持を確認できた場合、動作方向判定信号（ＢＹ２）がユーザの操作によるものであると判定し、Ｓ１２へ移行する。
【００４２】
また、Ｓ４における近接センサ１１１による表示部１６への近接物の有無の判定を、グリップセンサ１１２によるスマートフォン２へのユーザの把持の判定に換えることも可能である。この場合は、状態検出部１１がグリップセンサ１１２のみを有するものとすることができる。なお、上記以外のスマートフォン２の動作は、実施形態１に係るスマートフォン１と同じとなる。
【００４３】
〔実施形態３〕
次に、本発明のさらに他の実施形態に係るスマートフォン３について以下に説明する。本実施形態に係るスマートフォン３と実施形態１に係るスマートフォン１とは、加速度センサ１２によるスマートフォン１自体の加速度の検出を、スマートフォン３内部の歩数計（図示せず）とリンクさせる点が異なる。具体的には、加速度判定部１０２において、歩数計のカウントとして利用する加速度検出信号の閾値と、スマートフォン３自体の加速度の検出として利用する加速度検出信号の閾値とを異なるように設定する方法であってもよい。より詳しくは、歩数計で利用する加速度検出信号を、センシング感度をよく、すなわち閾値を低く設定し、スマートフォン３自体の加速度の検出として利用する加速度検出信号の閾値を歩数計で利用する加速度検出信号の閾値よりも高く設定する。上記設定により、加速度センサ１２が歩数計の起動により使用されている状態でも、スマートフォン３自体の加速度を検出することができる。
【００４４】
〔変形例〕
歩数計とスマートフォン３自体の加速度の検出をリンクさせる方法は上述する実施形態３の方法に限らない。実施形態３に係るスマートフォン３の変形例を下記に説明する。本変形例は、加速度センサ１２によるスマートフォン３自体の加速度の検出を、新たに設置される歩数計（図示せず）のカウントを用いて検出する。具体的には、加速度センサ１２による加速度の検出を上記歩数計に出力し、上記歩数計の１カウントをスマートフォン３自体の加速度の検出として、動作方向判定部１０３に加速度検出信号を出力する。このように上記歩数計によるカウントを用いることで、加速度センサ１２が歩数計の起動により使用されている状態でも、スマートフォン３自体の加速度を検出することができる。
【００４５】
〔ソフトウェアによる実現例〕
スマートフォン１の制御ブロック（特に第１状態判定部１０１、加速度判定部１０２、動作方向判定部１０３、第２状態判定部１０４、機能制御部１０５、着信検出部１０６、電源制御部１０７）は、集積回路（ＩＣチップ）などに形成された論理回路（ハードウェア）によって実現してもよいし、ＣＰＵ（Central Processing Unit）を用いてソフトウェアによって実現してもよい。
【００４６】
後者の場合、スマートフォン１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波など）を介して上記コンピュータに供給されてもよい。なお、本発明は、上記プログラムが電子的な伝送によって具現化された、搬送波に埋め込まれたデータ信号の形態でも実現され得る。
【００４７】
〔まとめ〕
本発明の態様１に係る携帯端末（スマートフォン１）は、携帯端末自体の加速度を検出する加速度センサ１２と、携帯端末自体の角速度を検出する角速度センサ（ジャイロセンサ１３）と、上記角速度センサ（ジャイロセンサ１３）により検出された方向への動きに対応付けられた機能を実行する機能実行制御手段（機能実行制御部１０５）と、を備え、上記角速度センサ（ジャイロセンサ１３）は、上記加速度センサ１２により携帯端末自体の加速度が検出されたとき検出動作を開始する。
【００４８】
上記の構成によれば、上記携帯端末は、加速度センサにより端末の加速度が検出されたとき、上記角速度センサによる検出動作が開始され、当該角速度センサにより検出された方向への動きに対応付けられた機能を実行する。つまり、上記携帯端末は、加速度センサの検出をトリガとして、角速度センサによる検出動作が行われ、当該角速度センサにより検出された方向への動きに対応付けられた機能が実行される。
【００４９】
ここで、加速度センサによる端末の加速度が検出される状態とは、例えばユーザがテーブルなどに載置された端末を持ち上げることに該当する。このように、ユーザが端末を持ち上げた状態で、端末を任意の方向に動かせば、角速度センサにより該当する方向が検出され、検出された方向に対応付けられた機能が実行される。したがって、上記携帯端末は、ユーザの携帯端末の持ち方に依存せず、つまり、ユーザが携帯端末をどのように持っても、ユーザのシンプルな動作のみで所望の機能を起動させることができる。
【００５０】
また、加速度センサおよび角速度センサは、携帯端末に一般的に装備されているセンサであるため、新しい部品・機能を追加することなく、ユーザの携帯端末の持ち方に依存せず、ユーザのシンプルな動作のみで所望の機能を起動させることができる。したがって、端末の加速度を検出および端末のＸ方向Ｙ方向への動きを検出するための特別な装置を別途設ける必要がないため、ユーザの携帯端末の持ち方に依存せず、ユーザのシンプルな動作のみで所望の機能を起動できる携帯端末を安価に製造することができる。
【００５１】
本発明の態様２に係る携帯端末は、上記態様１において、上記加速度センサ１２は、上記携帯端末の電源ＯＮの状態で上記携帯端末の画像を表示する表示部を休止した休止状態において、上記携帯端末自体の加速度を検出することが望ましい。
【００５２】
上記構成によれば、携帯端末の電源ＯＮの状態で携帯端末の表示部を休止した休止状態、すなわち、スリープ状態であっても、当該携帯端末自体の加速度を検出することができる。このため、スリープ状態を解除せずとも当該携帯端末自体の加速度を検出することができる。したがって、スリープ状態を解除するための操作、電源スイッチのＯＮまたは表示パネルへのタッチ操作、を行うことなくシンプルな動作のみでスリープ状態から所望の機能を起動させることができる。
【００５３】
本発明の態様３に係る携帯端末では、上記態様１または２において、上記角速度センサ（ジャイロセンサ１３）へ電力の供給を制御する電力供給制御手段（電源制御部１０７）を備え、上記電力供給制御手段（電源制御部１０７）は、上記加速度センサ１２により上記携帯端末自体の加速度が検出されたとき、上記角速度センサ（ジャイロセンサ１３）へ電力を供給することが望ましい。
【００５４】
上記構成によれば、加速度センサが携帯端末自体の加速度を検出すると、角速度センサに電力が供給される。すなわち、角速度センサには、加速度センサが携帯端末自体の加速度を検出するまでは電力が供給されない。したがって、角速度センサにおける電力消費を必要最小限に抑えることができ、携帯端末における消費電力を抑制することができる。
【００５５】
本発明の態様４に係る携帯端末は、上記態様１から３のいずれか１つにおいて、上記携帯端末をユーザが操作しているか否かを判定する判定部（第２状態判定部１０４）をさらに備え、上記機能実行制御手段（機能実行制御部１０５）は、上記判定部（第２状態判定部１０４）が携帯端末をユーザが操作していると判定した場合、上記角速度センサ（ジャイロセンサ１３）により検出された方向への動きに対応付けられた機能を実行することが望ましい。
【００５６】
上記構成によれば、状態検出部による検出が条件を満たすかを判定することで、角速度センサによる検出が、ユーザが意図する操作によるものであるかを判定することができる。角速度センサによる検出がユーザの意図しない操作である場合、機能実行制御手段は、所望の機能を実行しない。これにより、ユーザの意図しない操作により、所望の機能を起動させるという誤動作を防止することができる。
【００５７】
本発明の態様５に係る機能実行プログラムは、コンピュータに、携帯端末自体の加速度を検出する加速度検出ステップ（Ｓ６）と、上記加速度検出ステップによって携帯端末自体の加速度が検出されたとき、上記携帯端末自体の角速度を検出する方向検出ステップ（Ｓ７）と、上記方向検出ステップによって検出された方向への動きに対応付けられた機能を実行する機能実行ステップとを実行させる。
【００５８】
上記の機能実行プログラムによれば、態様１と同様の効果を奏する。
【００５９】
本発明の各態様に係る携帯端末は、コンピュータによって実現してもよく、この場合には、コンピュータを上記携帯端末が備える各手段として動作させることにより上記携帯端末をコンピュータにて実現させる携帯端末の制御プログラム、およびそれを記録したコンピュータ読み取り可能な記録媒体も、本発明の範疇に入る。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６１】
本発明は、スマートフォン、ＰＨＳ（Personal Handy phone System）、携帯電話、携帯型のパーソナルコンピュータ、ハンディターミナルなどのような、携帯型の電子機器に利用することができる。
【符号の説明】
【００６２】
１，２，３  スマートフォン（携帯端末），１２  加速度センサ，１３  ジャイロセンサ（角速度センサ），１０４  第２状態判定部（判定部），１０５  機能実行制御部（機能実行制御手段），１０７  電源制御部（電源供給制御手段），Ｓ７  加速度検出ステップ，Ｓ９，Ｓ１９  方向検出ステップ，Ｓ１３，Ｓ１４，Ｓ２３，Ｓ２４  機能実行ステップ
【図１】
2015046797.tif 000003
【図２】
2015046797.tif 000004
【図３】
2015046797.tif 000005
【図４】
2015046797.tif 000006
【図５】
2015046797.tif 000007